(57)【要約】【課題】内容物を取り出した後も包装箱全体を立てて室内に飾る置物とすることが可能であり、かつ、当該内容物を収納した状態から置物の状態にする工程が簡素である包装箱を提供することを課題とする。【解決手段】底面部に連接し対向する側面側壁から連接した一対のフラップを有する包装箱であって、前記フラップが組み立て起立部を有していて、前記組み立て起立部を脚部として前記包装箱を立てた状態で載置できることを特徴とする包装箱。【選択図】図４
2017186038.tif 000002
【特許請求の範囲】
【請求項１】
底面部に連接し対向する側面側壁から連接した一対のフラップを有する包装箱であって、
前記フラップが組み立て起立部を有していて、
前記組み立て起立部を脚部として前記包装箱を立てた状態で載置できることを特徴とする包装箱。
【請求項２】
請求項１に記載の包装箱であって、
前記フラップは前記側面側壁の長さよりも下方へ長く形成され、かつ、前記側面側壁と同じ長さのところで折り曲げる折り曲げ線を有していて、
前記組み立て起立部は前記折り曲げ線の少なくとも一部を含む位置に形成されていることを特徴とする包装箱。
【請求項３】
請求項２に記載の包装箱であって、
前記組み立て起立部は、前記組み立て起立部内の前記折り曲げ線を押し込むことによりワンタッチで組み立てられることを特徴とする包装箱。
【請求項４】
請求項１〜３のいずれか１に記載の包装箱であって、
前記組み立て起立部を脚部として立てたとき、前記一対のフラップ及び前記側面側壁及び前記底面部が同一面となることを特徴とする包装箱。
【発明の詳細な説明】
【技術分野】
【０００１】
本発明は包装箱に関し、特には包装箱自体を置物とすることが可能な包装箱に関する。
【背景技術】
【０００２】
近年の外国人観光客の増加に伴い、主に土産を取り扱う商店等において日本土産であることをイメージさせる風景や絵柄等を印刷した商品や、日本土産であることをイメージさせる風景や絵柄等が印刷された包装物の需要が高まっている。
【０００３】
このような需要の高まりを受け、蓋体表面に美人画を描いた包装箱において、当該蓋体の裏面に設けられた支持脚を突出させることにより、当該包装箱の内容物を取り出した後も当該蓋体表面の美人画を室内に飾る置物の１つとすることを可能とする包装箱が提案されている（特許文献１）。
【０００４】
しかし、特許文献１のような包装箱では内容物を取り出すことにより包装機能を終えた後は蓋体のみが置物として再利用され、内容物を収納していた箱本体側は再利用されずに廃棄処分となっていた。すなわち、再利用されるのは包装箱の一部のみであり、当該蓋体表面に描かれた美人画に心を惹かれて商品を購入した消費者にとって当該商品を取り出した後の箱本体は無駄となっていた。
【０００５】
そこで、箱本体を不要物とせずに廃棄物を減らす工夫の１つとして、箱本体部に表示部を連接した包装箱が提案されてきた（例えば、特許文献２）。
特許文献２の包装箱は日本土産とは関わりの無いＣＤ等の包装箱であり、包装箱の側板から連接された複数の表示部を有し、例えば第二実施形態においては当該表示部を観音開き形態に開くことにより当該表示部に表示された内容の全体を見ることを可能とした包装箱である。このような包装箱においては、包装箱と一体となっている当該表示部に日本土産であることをイメージさせる風景や絵柄等を印刷することにより、内容物を取り出した後も当該表示部を見えるようにして包装箱全体を置物とすることも可能と考えられる。
【０００６】
しかし、特許文献２のような包装箱においては、当該表示部には説明文を表記することが想定されており、当該表示部が前面となるように立てて当該包装箱全体を置物のようにすることは想定されていなかった。そのため、当該包装箱の使用者が当該表示部の内容を見るためには、当該包装箱を収納している収納場所から当該包装箱を取り出してその都度当該表示部を開かなければならず、室内に飾って日本旅行の想い出を想起させるような置物として使用するには特許文献２のような包装箱は相応しくなかった。
【０００７】
そこで、箱全体を置物として再利用可能とする包装箱が提案されてきた（例えば、特許文献３）。
特許文献３の包装箱においては、包装箱の高さ方向の略半分から上の部分を当該包装箱の前面板の略中央から切り開き、切り開いた上半分を裏側に折り曲げてその背面板の先端を当該包装箱の下半分のケース部分に底から差し込んで当該ケース部分と当該上半分とで三角筒を構成することにより、当該ケース部分が斜めに立てられると共に、正面から見たときに切り開いた上半分の側面板及び前面板が当該ケース部分の両脇に並んだ状態となる。このような包装箱においては、内容物を取り出した後も上述のように組み立てることにより、包装箱全体をスタンドとして再利用することが可能となる。
【０００８】
特許文献３のような包装箱をスタンドとして組み立てた状態においては、切り開いた上半分の側面板及び前面板は包装箱下半分のケース部分よりも奥に配置されている。また、
当該ケース部分が斜めに起立しているのに対し、当該上半分の側面板及び前面板は水平板及び垂直板を構成している。このような構成により、特許文献３のような包装箱においては、当該ケース部分と当該上半分の側面板及び前面板とを一体と見ることはできず、明らかに別の部分を構成していた。
よって、横方向に広がる風景や絵柄を当該ケース部分から当該上半分の側面板及び前面板に亘って一連でつながるように表示することは好ましくなかった。また、当該上半分の側面板及び前面板のうち水平板を構成している部分に表示された内容は当該スタンドを上方から見た場合にしか確認できないという問題も有していた。このため、当該ケース部分に電子機器等を挿入するスタンドとしての利用はできるが、当該スタンドの前面に装飾を施すことにより当該スタンドを室内装飾の１つとするには特許文献３のような包装箱は適さなかった。
【０００９】
また、特許文献３のような包装箱を内容物取り出し後にスタンドとして再利用するためには、上半分を切り開いて折り曲げて差し込むという複数の工程を経る煩雑な作業を行う必要があるため、使用者の利便性に欠けていた。
【００１０】
公知文献を以下に示す。
【先行技術文献】
【特許文献】
【００１１】
【特許文献１】実用新案登録第３１９７５５２号公報
【特許文献２】実用新案登録第３１２２５５９号公報
【特許文献３】実用新案登録第３１７２８１３号公報
【発明の概要】
【発明が解決しようとする課題】
【００１２】
本発明は上記のような事情に鑑みてなされたもので、内容物を取り出した後も包装箱全体を立てて室内に飾る置物とすることが可能であり、かつ、当該内容物を収納した状態から置物の状態にする工程が簡素である包装箱を提供することを課題とする。
【課題を解決するための手段】
【００１３】
本発明は係る課題に鑑みなされたものであり、本発明の包装箱は、底面部に連接し対向する側面側壁から連接した一対のフラップを有する包装箱であって、前記フラップが組み立て起立部を有していて、前記組み立て起立部を脚部として前記包装箱を立てた状態で載置できることを特徴とする。
【００１４】
また、本発明の包装箱の前記フラップは前記側面側壁の長さよりも下方へ長く形成され、かつ、前記側面側壁と同じ長さのところで折り曲げる折り曲げ線を有していて、前記組み立て起立部は前記折り曲げ線の少なくとも一部を含む位置に形成されていても良い。
このとき、前記組み立て起立部は、前記組み立て起立部内の前記折り曲げ線を押し込むことによりワンタッチで組み立てられるものとしても良い。
【００１５】
また、本発明の包装箱は、前記組み立て起立部を脚部として立てたとき、前記一対のフラップ及び前記側面側壁及び前記底面部が同一面となるように構成されていても良い。
【発明の効果】
【００１６】
本発明の包装箱は、一対のフラップに組み立て起立部を有し、前記組み立て起立部を脚部として立てた状態で載置できる構成とすることにより、例えば日本土産であることをイメージさせる風景や絵柄等が印刷された包装箱を、内容物取り出し後にそのままインテリアの１つとして飾ることが可能である。このようにインテリアとなるような美しい風景や
絵柄が印刷された包装箱とすることにより、消費者の購買意欲を高める販売促進効果も奏し、特に、印刷された内容が日本土産であることをイメージさせるものであれば、近年増加している外国人観光客に対する販売促進効果を向上させることも可能となる。また、内容物を収納した状態から置物の状態にする際には、一対のフラップを広げて前記フラップの一部に設けられた組み立て起立部を組み立てるだけという非常に簡素な工程を経れば良いため、利便性に富んだ包装箱とすることが可能である。
【００１７】
また、本発明の包装箱の前記フラップが底面部に連接し対向する側面側壁の長さよりも下方へ長く形成され、かつ、前記側面側壁と同じ長さのところで折り曲げる折り曲げ線を有していることにより、本発明の包装箱を置物として台の上に載置した状態では、前記フラップのうち前記折り曲げ線より下方の連接板部が載置した当該台に接して前記フラップ及び包装箱全体を支える役割を果たすことが可能となる。
また、前記組み立て起立部が前記折り曲げ線の少なくとも一部を含む位置に形成されていることにより、前記組み立て起立部が前記フラップの折り曲げ角度を規定することが可能になる。さらに、前記組み立て起立部内の前記折り曲げ線を前記連接板部より下方に突出することにより、容易に包装箱全体を斜めに立てることが可能となる。
【００１８】
また、前記組み立て起立部を、前記組み立て起立部内の前記折り曲げ線を押し込むことによりワンタッチで組み立てられる構成とすることにより、内容物を収納した状態から置物の状態にする際の工程を非常に簡素なものとすることが可能であり、利便性に優れた包装箱とすることができる。
【００１９】
また、本発明の包装箱は、前記組み立て起立部を脚部として立てたとき、前記一対のフラップ及び前記側面側壁及び前記底面部が同一面となるように構成されることにより、前記一対のフラップ及び前記側面側壁及び前記底面部の全体に亘って一連の風景や絵柄を表示することも可能となる。これにより、底面部や蓋部のみに表示する場合と比べて表示サイズの制限が厳しくないため、壮大な風景や大きな絵柄を含めた様々な内容を表示することが可能であり、デザインの幅を広げることが可能となる。
また、前記一対のフラップを広げて置物の状態とした時に正面となる面が同一平面となることにより、当該正面上に表示された内容が歪むことなく美麗な状態で載置されるため、置物としての価値をいっそう高めることも可能となる。
【図面の簡単な説明】
【００２０】
【図１】本発明の包装箱の展開図を模式的に示した説明図である。
【図２】本発明の包装箱を、内容物を収納する箱に組み立てる途中の状態を模式的に示した説明図であり、（ａ）は蓋を閉じる前の状態を上方から見た上面図、（ｂ）は（ａ）のＡ−Ａ断面図である。
【図３】本発明の包装箱を、内容物を収納する箱から置物へと組み立てる途中の状態を模式的に示した説明図であり、（ａ）は一対のフラップを広げて蓋を閉じた状態の背面図、（ｂ）は左側面図、（ｃ）は正面図である。
【図４】本発明の包装箱を置物として組み立てた状態を模式的に示した説明斜視図である。
【図５】図４において点線で囲った組み立て起立部付近を拡大した拡大説明図であり、（ａ）は正面図、（ｂ）は右側面図である。
【発明を実施するための形態】
【００２１】
以下、本発明を実施するための実施形態につき図面を参照して説明する。なお、折り線と切り取り線とを明確に区別するために、図１の展開図だけでなく、図２、図３、及び図５においても折り目線及び折り曲げ線を含む折り線は一点鎖線で描いている。
【００２２】
本発明の包装箱１は図１に示すような１枚のシートブランクを組み立てることにより形成され、底面部２の横方向の両側には側面側壁３１及びフラップ４が左右それぞれに折り目を介して連接されている。また底面部２の上方には天地面側壁３２及び蓋部６が折り目を介して連接され、底面部２の下方には天地面側壁３２及びフラップ押さえ板７が折り目を介して連接されている。
そして、蓋部６の上方に形成された差し込み部６ａを、底面部２の下方の天地面側壁３２とフラップ押さえ板７の間の折り目上に形成された切り込み部７ａに差し込むことにより、四角筒を形成することができる。
【００２３】
フラップ押さえ板７は切り込み部７ａを有して、差し込み部６ａを切り込み部７ａに抜き差しすることが可能な大きさを有していれば良く、形状も限定されない。本実施形態では略四角形状としているが、例えば上方を曲線状としても良いし、全体を略三角形状としても良い。
【００２４】
また、フラップ４は側面側壁３１の長さよりも下方へ長く形成され、かつ、側面側壁３１と同じ長さのところで折り曲げる折り曲げ線４０を有している。これにより、フラップ４は、折り曲げ線４０より上方のフラップ本体部４１及び折り曲げ線４０よりも下方の連接板部４２の２つの部分に分けられる。
フラップ４には包装箱１を立てて置物として飾れるようにするための組み立て起立部５が設けられている。組み立て起立部５は、フラップ本体部４１から連接板部４２にかけて折り曲げ線４０の少なくとも一部を含む位置に、上下がフラップ４と折り目を介して連接し、左右が切り込み線で囲まれた状態で形成され、上からフラップ本体部４１内に位置する上前板５１、連接板部４２内に位置する下前板５２、折り返し板５４の順に連接されている。このとき、上前板５１と下前板５２の境界の折り曲げ線５０はフラップ本体部４１と連接板部４２の間の折り曲げ線４０の一部であり、下前板５２と折り返し板５４の間にも折り目線５３を有する。また、下前板５２と折り返し板５４の幅は折り目線５３を境にして、折り返し板５４の方が下前板５２よりも広くなっており、下前板５２の側端外方の連接板部で折り目線５３と下前板５２との間の鋭角になっている部分が起立保持部４２ａとなっている。
【００２５】
連接板部４２の大きさ及び形状は特に限定されず、組み立て起立部５の下前板５２、折り返し板５４、及び起立保持部４２を含み、これらが包装箱１を置物として立てるのに十分な強度を保つことが可能な大きさを有していれば良い。
【００２６】
図１に示すシートブランクを組み立てて内容物を収納して輸送するための箱状態とする場合にはまず、フラップ４の連接板部４２が底面部２側になるように折り曲げ線４０で折り畳んで左右両方のフラップ４を底面部２と対向するように閉じる。このときの組み立て起立部５はフラップ４と同一平面のままの状態であり、フラップ４と共に折り曲げ線５０で折り畳まれている。そして、図２に示すようにフラップ押さえ板７をフラップ４の下方と重なるようにフラップ４の上に倒す。
その後、蓋部６の上方に形成された差し込み部６ａを、底面部２の下方の天地面側壁３２とフラップ押さえ板７の間の折り目上に形成された切り込み部７ａに差し込むことにより、包装箱１の箱状態が完成する。
【００２７】
包装箱１を立てて置物として飾る場合にはまず、図３に示すように、フラップ４を横に広げた状態で蓋部６の差し込み部６ａを切り込み部７ａに差し込むことにより、蓋部６、天地面側壁３２、フラップ押さえ板７、及び底面部２からなる四角筒を形成する。
このときフラップ４は、本体部４１が略垂直、連接板部４２が略水平になるように折り曲げ線４０で折り曲げられる。これにより、図３（ｂ）に示すように、底面部２とフラップ押さえ板７の間の天地面側壁３２及び連接板部４２が底面となる。
この図３の状態では、まだ組み立て起立部５は組み立てられていない。
【００２８】
図３の状態から組み立て起立部５を組み立てることにより包装箱１を置物の状態とする際には、底面部２を正面側、蓋部６を背面側としたとき、組み立て起立部５内の折り曲げ線５０を正面側から背面側のやや上方へ押し込む。これにより、図４及び図５に示すように、組み立て起立部５内の折り曲げ線５０の折り曲げが解消されて上前板５１と下前板５２とが同一平面となり、折り目線５３を底辺として折り返し板５４が斜め上方に折り返される。このとき、連接板部４２の正面側及び折り曲げ線４０は包装箱１を載置する台から少し浮いた状態となり、連接板部４２の背面側、組み立て起立部５の折り目線５３、及び下方の天地面側壁３２のうち蓋部６との境界を成す辺が包装箱１を載置する台と接して包装箱１を支える。
【００２９】
また、このとき、連接板部４２の起立保持部４２ａが組み立て起立部５の上前板５１、折り曲げ線５０及び下前板５２からなる前板に接することにより、当該前板が正面側に倒れて折り曲げ線５０が折れ曲がって図３の状態に戻ることを防ぐことが可能となる。起立保持部４２ａが接する場所は当該前板のどこでも良いが、折り曲げ線５０の折れ曲がりを防止することを考慮すれば、折り曲げ線５０上若しくは下前板５２であることが望ましい。また、折り目線５３の位置での折り返し板５４の幅と等しい横幅を有する位置で接することがより望ましい。このような位置で起立保持部４２ａが折り曲げ線５０若しくは下前板５２に接することにより、前板の横位置が固定されるため、起立保持部４２ａがより安定して当該前板を支えることが可能となる。なお、折り曲げ線５０上に起立保持部４２ａが接する構成が最も望ましい。これは、折り曲げ線５０の折り癖とは逆方向の力で起立保持部４２ａが支えることになるため、折り曲げ線５０の折れ戻り防止の効果をより高めることが可能となるからである。
これにより組み立て起立部５の起立状態が保持され、包装箱１が置物として載置した際に倒れる虞をなくすことが可能となる。
【００３０】
このように、包装箱１を置物の状態とする際の操作は組み立て起立部５内の折り曲げ線５０を押し込むだけのワンタッチ操作で良く、利便性に優れている。
また、包装箱１を置物として立てたときには、一対のフラップ４のフラップ本体部４１及び一対のフラップ４が連接されている側面側壁３１及び底面部２が同一面となるように構成されるため、一対のフラップ本体部４１及び側面側壁３１及び底面部２の全体に亘って一連の風景や絵柄を表示することも可能となる。これにより、底面部２や蓋部６のみに表示する場合と比べて表示サイズの制限が厳しくないため、壮大な風景や大きな絵柄を含めた様々な内容を表示することが可能であり、デザインの幅を広げることが可能となる。
また、一対のフラップ４を広げて置物の状態とした時に正面となる面が同一平面となることにより、当該正面上に表示された内容が歪むことなく美麗な状態で載置されるため、置物としての価値をいっそう高めることも可能となる。
【００３１】
包装箱１を構成するシートブランクの材料は特に限定されず、内容物を収納及び輸送することが可能な強度、及び置物として立てることが可能な強度を有していれば良い。例えば、段ボールや白ボール紙等の板紙が適用される。段ボールを使用する場合には、内容物の重さ等に応じて両面段ボール、複両面段ボール、複複両面段ボールの中から適切なものを選択し、フルートの高さ及び幅も適宜選択することが可能である。また、置物としたときに正面になる底面部２、側面側壁３１、及びフラップ本体部４１は美観性を考慮して化粧面とすることが好ましい。
【００３２】
本実施形態の包装箱１に収納された商品を購入した消費者は、切り込み部７ａに差し込まれた差し込み部６ａを抜くことにより蓋部６を開けて包装箱１を開封して内容物である商品を取り出す。内容物は特に制限がなく、包装箱１に入る大きさのものであれば良い。
そして、底面部２、側面側壁３１、及びフラップ本体部４１に印刷された例えば日本土産であることをイメージさせる風景や絵柄等の美麗な表示をインテリアの１つとして飾るために、一対のフラップ４を両側に開き、フラップ本体部４１下方に形成された組み立て起立部５内の折り曲げ線５０を斜め上方に押し込んで下前板５２と連接板部４２の起立保持部４２ａとを接するようにして起立状態を保持させる。これにより、連接板部４２の背面側、組み立て起立部５の折り目線５３、及び下方の天地面側壁３２のうち蓋部６との境界を成す辺が包装箱１を載置する台と接し、包装箱１全体を正面側下方が前に出るようにやや斜めに立たせて置物とすることが可能となる。
【００３３】
このようにして、消費者は容易に包装箱１を置物として飾ることができ、当該置物を目にする度に商品を購入した場所での出来事や旅の想い出等を思い出すことができる。このような構成の包装箱とすることにより、底面部２、側面側壁３１、及びフラップ本体部４１に印刷された内容を飾る目的で消費者が包装箱１に収納された商品を購入することも考えられる。またこれに加えて、包装箱１が廃棄されずに置物として再利用されるため、廃棄物の低減にも効果がある。
【００３４】
なお、本発明の主旨を逸脱しない範囲内であれば本実施形態に限らず、例えば組み立て起立部５を一対のフラップ４の両方に設けずにどちらか一方のフラップ４のみに形成することも可能である。また、組み立て起立部５や起立保持部４２ａの大きさを大きくして起立状態をより安定させても良く、フラップ４を一対に設けず左右どちらか一方の側面側壁にのみ連接させる片側フラップとしても良い。さらに、底面部２から下方の天地面側壁３２にかけて組み立て起立部５を追加形成することも可能である。ただし、いずれの場合も、内容物を収納する包装箱としての強度を維持し、かつ、置物として包装箱１を飾ったときに正面の表示物が途切れて美しさを損なうことのないよう、留意して設計することが望ましい。
【符号の説明】
【００３５】
１・・・包装箱
２・・・底面部
３１・・・側面側壁
３２・・・天地面側壁
４・・・フラップ
４０・・・折り曲げ線
４１・・・フラップ本体部
４２・・・連接板部
４２ａ・・・起立保持部
５・・・組み立て起立部
５０・・・折り曲げ線
５１・・・上前板
５２・・・下前板
５３・・・折り目線
５４・・・折り返し板
６・・・蓋部
６ａ・・・差し込み部
７・・・フラップ押さえ板
７ａ・・・切り込み部
【図１】
2017186038.tif 000003
【図２】
2017186038.tif 000004
【図３】
2017186038.tif 000005
【図４】
2017186038.tif 000006
【図５】
2017186038.tif 000007